(57)【要約】【課題】排水ソケットを排水管に対し着脱可能とした便器の排水口と排水管との接続装置を提供する。【解決手段】便器の排水口と排水管との接続装置は、アダプタ２０と、該アダプタ２０に装着されたＯリング３０と、該アダプタ２０に外嵌接続される排水ソケット４０と、該排水ソケット４０に装着されたジョイントパッキン５０とを有する。この下環状部２１が排水管１０に内嵌され、接着剤によって接着固定される。下部４１を上環状部２２に外嵌させるようにして排水ソケット４０を床面１上に設置すると、該下部４１の内周面が全周にわたってＯリング３０に水密的に重なる。この排水ソケット４０の上端のジョイントパッキン５０に対し上方から排水口６０を差し込むようにして便器が床面１上に据え付けられる。【選択図】図１
2007162305.tif 000002
【特許請求の範囲】
【請求項１】
床の排水管に対し便器の排水口を接続する接続装置において、
該排水口が上方から差し込まれる排水ソケットと、
該排水管に取り付けられ、該排水ソケットが着脱可能に嵌合する環状のアダプタと
を備えたことを特徴とする便器の排水口と排水管との接続装置。
【請求項２】
請求項１において、該排水ソケットとアダプタとの嵌合部をシールするＯリングを備えたことを特徴とする便器の排水口と排水管との接続装置。
【請求項３】
請求項２において、前記アダプタは、前記排水管に対し内嵌する下環状部と、
該下環状部に連なっており、前記排水ソケットが着脱可能に嵌合する上環状部とを有しており、
該上環状部と排水ソケットとの間がＯリングでシールされていることを特徴とする便器の排水口と排水管との接続装置。
【請求項４】
請求項３において、前記排水ソケットは該上環状部に対し外嵌するものであり、前記Ｏリングは該上環状部に装着されていることを特徴とする便器の排水口と排水管との接続装置。
【請求項５】
請求項３において、前記排水ソケットは該上環状部に対し内嵌するものであり、前記Ｏリングは該排水ソケットに装着されていることを特徴とする便器の排水口と排水管との接続装置。
【請求項６】
請求項１ないし５のいずれか１項において、前記排水ソケットは、床面に沿って張り出す張出部を備えており、該張出部に該排水ソケットを床面に固定する固定具の挿通部が設けられていることを特徴とする便器の排水口と排水管との接続装置。
【発明の詳細な説明】
【技術分野】
【０００１】
本発明は、便器の排水口と排水管との接続装置に関するものであり、特にトイレルーム床面の排水管と便器の排水口とを排水ソケットを介して接続するようにした便器の排水口と排水管との接続装置に関する。
【背景技術】
【０００２】
トイレルーム床面の排水管と便器の排水口とを排水ソケットを介して接続するようにした便器の排水口と排水管との接続装置の従来例にあっては、特開平１１−３２４０８２号に記載されている通り、排水口に排水ソケットを嵌合させて接着剤によって接着し、この排水ソケットに対し便器の排水口を上方から嵌合させるようにしている。
【０００３】
第１３，１４図はかかる特開平１１−３２４０８２号の便器の排水口と排水管との接続装置を示す断面図及び分解斜視図である。
【０００４】
トイレルームの床面１に排水管２が上下方向に設置され、該排水管２の上端が床面１から若干上方に突出している。
【０００５】
排水ソケット３が該排水管２の上端に嵌合し、接着剤によって接着されている。なお、排水ソケット３は筒状の下胴部３ａを有しており、該下胴部３ａが排水管２の上部に外嵌し、下胴部３ａの内周面と排水管２の外周面とが接着されている。排水ソケット３の下部からフランジ部３ｂが外方に突設され、該フランジ部３ｂがビス４によって床面１に固定されている。
【０００６】
排水ソケット３の上端部に環状のジョイントパッキン５が装着され、該ジョイントパッキン５に便器６の排水口６ａが上方から差し込まれている。
【特許文献１】特開平１１−３２４０８２号
【発明の開示】
【発明が解決しようとする課題】
【０００７】
上記特開平１１−３２４０８２号の便器の排水口と排水管との接続装置にあっては、排水ソケット３が排水管２に対し接着されているため、便器のリフォームに際し排水ソケット３を別機種のものに交換することができない。また、排水管２内に閉塞等が生じたときにも、排水ソケット３を外すことができないので、排水管２内の作業を行いにくい。
【０００８】
本発明は、上記従来の問題点を解決するために、排水ソケットを排水管に対し着脱可能とした便器の排水口と排水管との接続装置を提供することを目的とする。
【課題を解決するための手段】
【０００９】
請求項１の便器の排水口と排水管との接続装置は、床の排水管に対し便器の排水口を接続する接続装置において、該排水口が上方から差し込まれる排水ソケットと、該排水管に取り付けられ、該排水ソケットが着脱可能に嵌合する環状のアダプタとを備えたことを特徴とするものである。
【００１０】
請求項２の便器の排水口と排水管との接続装置は、請求項１において、該排水ソケットとアダプタとの嵌合部をシールするＯリングを備えたことを特徴とするものである。
【００１１】
請求項３の便器の排水口と排水管との接続装置は、請求項２において、前記アダプタは、前記排水管に対し内嵌する下環状部と、該下環状部に連なっており、前記排水ソケットが着脱可能に嵌合する上環状部とを有しており、該上環状部と排水ソケットとの間がＯリングでシールされていることを特徴とするものである。
【００１２】
請求項４の便器の排水口と排水管との接続装置は、請求項３において、前記排水ソケットは該上環状部に対し外嵌するものであり、前記Ｏリングは該上環状部に装着されていることを特徴とするものである。
【００１３】
請求項５の便器の排水口と排水管との接続装置は、請求項３において、前記排水ソケットは該上環状部に対し内嵌するものであり、前記Ｏリングは該排水ソケットに装着されていることを特徴とするものである。
【００１４】
請求項６の便器の排水口と排水管との接続装置は、請求項１ないし５のいずれか１項において、前記排水ソケットは、床面に沿って張り出す張出部を備えており、該張出部に該排水ソケットを床面に固定する固定具の挿通部が設けられていることを特徴とするものである。
【発明の効果】
【００１５】
本発明の便器の排水口と排水管との接続装置は、排水管に装着されるアダプタと、このアダプタに装着される排水ソケットとを有している。このアダプタに対し排水ソケットが着脱可能に装着されるため、排水ソケットを排水管から分離することができる。従って、例えば便器のリフォーム時などに、便器に合わせて排水ソケットを別のものに交換することができる。また、排水管詰まり等が生じたときには、排水ソケットを取り外して排水管内の作業を行うことができる。
【００１６】
この排水ソケットとアダプタとの間をＯリングによってシールすることにより、排水ソケットをアダプタに対し回転させて向きを自在に変更、調節することができる。
【００１７】
アダプタを下環状部と上環状部とで構成し、下環状部を排水管に内嵌させ、上環状部に排水ソケットを嵌合させる場合には、この上環状部と排水ソケットとの間にＯリングを配置するのが好ましい。
【００１８】
この場合、Ｏリングを上環状部側に装着してもよく、排水ソケット側に装着してもよい。
【００１９】
この排水ソケットを床面に固定することにより、排水ソケットが外れたり、位置ずれによるシール不良が発生したりすることを防止することができる。
【発明を実施するための最良の形態】
【００２０】
以下、図面を参照して実施の形態について説明する。第１図（ａ）〜（ｄ）は実施の形態に係る便器の排水口と排水管との接続装置を示す断面図である。
【００２１】
トイレルームの床面１に管軸心方向を上下方向として塩ビ等よりなる排水管１０が設けられている。この排水管１０の上端は床面１と略面一となっている。
【００２２】
便器の排水口と排水管との接続装置は、アダプタ２０と、該アダプタ２０に装着されたＯリング３０と、該アダプタ２０に外嵌接続される排水ソケット４０と、該排水ソケット４０に装着されたジョイントパッキン５０とを有する。
【００２３】
アダプタ２０は、排水管１０に内嵌する下環状部２１と、該下環状部２１よりも大径であり、床面１上に配置される上環状部２２とを有している。この上環状部２２の外周面に複数条（この実施の形態では２条）の溝が周設され、該溝にＯリング３０が装着されている。
【００２４】
この下環状部２１が排水管１０に内嵌され、接着剤によって接着固定される。なお、上環状部２２の底面が床面１上に当接する。
【００２５】
排水ソケット４０は、略円筒状であり、その下部４１が該上環状部２２に外嵌し、該下部４１よりも小径の中部４２が上方に立ち上がり、該中部４２よりも大径の上部４３の上端にジョイントパッキン５０が装着されている。
【００２６】
なお、本実施の形態では中部４２は上部４３よりも小径であるが、中部４２は上部４３と同一径であってもよい。
【００２７】
下部４１を上環状部２２に外嵌させるようにして排水ソケット４０を床面１上に設置すると、該下部４１の内周面が全周にわたってＯリング３０に水密的に重なる。
【００２８】
この排水ソケット４０の上端のジョイントパッキン５０に対し、上方から排水口６０を差し込むようにして、便器が床面１上に据え付けられる。
【００２９】
この実施の形態では、排水ソケット４０はアダプタ２０に対し外嵌し、着脱自在であり、またアダプタ２０に外嵌させた状態で回転可能である。従って、排水管１０内の詰まり除去作業を行うときなどには排水ソケット４０を容易に取り外すことができる。また、排水ソケット４０の向きを自在に調節することもできる。
【００３０】
なお、上環状部２２が床面１の上面に当接しているので、アダプタ２０の姿勢が安定する。また、上環状部２２が下環状部２１よりも大径であり、Ｏリング３０も大径となるため、上環状部２２の外周面と排水ソケット下部４１の内周面とのシール性が向上する。
【００３１】
第１図ではＯリング３０がアダプタ２０に装着されているが、第２図では排水ソケット４０Ａの下部４１の外周面にＯリング装着溝を設け、この溝にＯリング３０を装着している。アダプタ２０Ａの上環状部２２の外周面は平滑となっている。
【００３２】
第２図のその他の構成は第１図と同一であり、同一符号は同一部分を示している。
【００３３】
第２図は第１図と比べて、排水ソケット４０Ａの下部４１の外周面にＯリング装着溝を設け、この溝にＯリング３０を装着し、該下部４１がアダプタ２０に対し内嵌している点で異なるが、この第２図の便器の排水口と排水管との接続装置によっても第１図の便器の排水口と排水管との接続装置と同様の作用効果が奏される。
【００３４】
第１，２図の排水ソケット４０，４０Ａはオリフィスを有していないが、第３，４図の排水ソケット４０Ｂ，４０Ｃのように中部４２から下方に垂下する垂下部４４を設けてもよい。この垂下部４４は中部４２と同軸等径であり、下端は若干内方へ鍔状に突出してオリフィスを形成している。この垂下部４４を設けたことにより、便器の排水トラップにサイホンを容易に形成することができる。第３，４図のその他の構成はそれぞれ第１，２図と同一であり、同一符号は同一部分を示している。
【００３５】
本発明では、第５，６図の排水ソケット４０’，４０Ａ’のように下部４１の側方へ張り出す張出部４５を設け、この張出部４５を床面１に重ね、ビス７０で床面１に留め付けるようにしてもよい。このように排水ソケット４０’，４０Ａ’を床面１に固定すると、便器据え付け時に排水ソケット４０’，４０Ａ’がずれ動くことが防止される。なお、ビス７０は着脱可能であるため、排水ソケット４０’，４０Ａ’も着脱可能である。
【００３６】
第５，６図のその他の構成は第１，２図と同一であり、同一符号は同一部分を示している。なお、第３，４図など、その他の排水ソケットにおいても張出部を設けてもよいことは当然である。
【００３７】
本発明では、第７，８図に示すように、アダプタは床面１の上面に当接しないように構成されてもよい。このアダプタ８０は、下部８１と上部８２とが略等内径であり、上部８２の外径が下部８１の外径よりも若干大きなものとなっている。この上部８２の外周面に２条の溝が周設され、Ｏリング３０が装着されている。
【００３８】
このアダプタ８０は、下部８１を排水管１０の上端に挿入し、該下部８１の外周面と排水管１０の上部内周面とが接着剤で接着固定される。このアダプタ８０に対し排水ソケット９０が装着される。
【００３９】
この排水ソケット９０は、筒軸心方向を若干傾斜させた筒状胴部９１と、該胴部９１に連なり、アダプタ８１内に差し込まれた筒状オリフィス９２と、該オリフィス９２を取り巻く脚筒部９３と、該脚筒部９３の下端に連なり、外方に張り出す張出部９４とを備えている。脚筒部９３をアダプタ８０の上部８２に外嵌させ、脚筒部９３の下端及び張出部９４を床面１上に当接させる。脚筒部９３の内周面はＯリング３０に水密的に接触する。なお、張出部９４を床面１にビス留めしてもよい。
【００４０】
この排水ソケット９０の上端にジョイントパッキン５０Ａが装着される。便器の排水口（第７，８図では図示略）が該ジョイントパッキン５０Ａを通って排水ソケット９０の上部に差し込まれる。
【００４１】
第８図の排水ソケット９０では、胴部９１の筒軸心方向が傾斜しているが、第９図の排水ソケット９０Ａのように胴部９１の筒軸心方向が鉛直方向となっていてもよい。第９図のその他の構成は第８図と同様であり同一符号は同一又は相当部分を示している。
【００４２】
本発明では、排水管の口径に合わせて下環状部の口径の異なるアダプタを用いてもよく、アダプタと排水管との間にパッキン等の部材を介在させて、異口径排水管に同一機種のアダプタを装着するようにしてもよい。
【００４３】
第１０図（ａ），（ｂ）は前者（専用型）のアダプタ２１’，２０を対比して示している。
【００４４】
第１０図（ｂ）のアダプタ２０は、前記第１図に示したものと同一であり、排水管１０はＶＵ７５（ＪＩＳ  Ｋ  ６７４１で規定する硬質塩化ビニル管。外径８９ｍｍ、厚さ２．７ｍｍ）である。
【００４５】
第１０図（ａ）の排水管１１はＶＰ７５（外径８９ｍｍ、厚さ５．５ｍｍ）である。ＶＵ７５に比べて肉厚、小口径であるので、アダプタ２０’の下環状部２１’はアダプタ２０の下環状部２０よりも外径が小さいものとなっている。アダプタ２０’，２０のその他の構成、寸法は同一となっている。
【００４６】
第１１図は、このアダプタ２０’をＶＵ７５よりなる排水管１０に用いた場合を示している。下環状部２１’と排水管１０との間には、パッキン等の隙間閉塞部材１００が介在されている。
【００４７】
第１２図（ａ）はＶＰ１００（外径１１４ｍｍ、厚さ６．６ｍｍ）よりなる排水管１２に対し、下部８１及び上部８２を有したアダプタ８０Ａを装着している。このアダプタ８０Ａの上部８２は、下部８１よりも内径及び外径がいずれも若干大きいものとなっている。上部８２の外径は排水管１２と略等径である。上部８２にＯリング３０が装着されている。なお、下部８１は排水管１２に差し込まれ、接着剤によって接着されている。
【００４８】
第１２図（ｂ）は、ＶＵ１００（外径１１４ｍｍ、厚さ３．１ｍｍ）よりなる排水管１３にこのアダプタ８０Ａを装着した状態を示している。排水管１３の内周面と下部８１の外周面との間にはパッキン等の閉塞部材１００Ａが介在されている。
【００４９】
本発明の接続装置は、排水管が可撓管よりなる場合にあっても用いることができる。第１５図は第１図の接続装置を可撓管よりなる排水管に取り付けた状態を示す縦断面図である。
【００５０】
トイレルームの床面１に管軸心方向を上下方向として塩ビ等よりなる可撓管（排水管）１０Ａが設けられている。この可撓管１０Ａの上端には、外周面の溝部に沿ってＣリング１１０が装着されている。このＣリング１１０の底面が床面１の上面に当接している。該Ｃリング１１０によって該可撓管１０Ａが床下に落ち込むことが防止されている。
【００５１】
便器の排水口と排水管との接続装置は、アダプタ２０と、該アダプタ２０に装着されたＯリング３０と、該アダプタ２０に外嵌接続される排水ソケット４０と、該排水ソケット４０に装着されたジョイントパッキン５０とを有する。
【００５２】
アダプタ２０は、可撓管１０Ａに内嵌する下環状部２１と、該下環状部２１よりも大径であり、床面１上に配置される上環状部２２とを有している。この上環状部２２の外周面に複数条（この実施の形態では２条）の溝が周設され、該溝にＯリング３０が装着されている。この下環状部２１が可撓管１０Ａに内嵌され、接着剤によって接着固定される。
【００５３】
排水ソケット４０は、略円筒状であり、その下部４１が該上環状部２２に外嵌し、該下部４１よりも小径の中部４２が上方に立ち上がり、該中部４２よりも大径の上部４３の上端にジョイントパッキン５０が装着されている。
【００５４】
下部４１を上環状部２２に外嵌させるようにして排水ソケット４０をＣリング１１０上に設置すると、該下部４１の内周面が全周にわたってＯリング３０に水密的に重なる。
【００５５】
この排水ソケット４０の上端のジョイントパッキン５０に対し、上方から図示しない排水口を差し込むようにして、便器が床面１上に据え付けられる。
【００５６】
第１６図は、第２図の接続装置を可撓管よりなる排水管に取り付けた状態を示す縦断面図である。第１６図では排水ソケット４０Ａの下部４１の外周面にＯリング装着溝を設け、この溝にＯリング３０を装着している。アダプタ２０Ａの上環状部２２の外周面は平滑となっている。第１６図のその他の構成は第１５図と同一であり、同一符号は同一部分を示している。
【００５７】
上記実施の形態はいずれも本発明の一例であり、本発明は図示以外の形態をもとりうる。
【図面の簡単な説明】
【００５８】
【図１】実施の形態を示す断面図である。
【図２】実施の形態を示す断面図である。
【図３】実施の形態を示す断面図である。
【図４】実施の形態を示す断面図である。
【図５】実施の形態を示す断面図である。
【図６】実施の形態を示す断面図である。
【図７】実施の形態を示す断面図である。
【図８】実施の形態を示す断面図である。
【図９】実施の形態を示す断面図である。
【図１０】実施の形態を示す断面図である。
【図１１】実施の形態を示す断面図である。
【図１２】実施の形態を示す断面図である。
【図１３】従来例を示す断面図である。
【図１４】従来例を示す斜視図である。
【図１５】第１図の接続装置を可撓管よりなる排水管に取り付けた状態を示す縦断面図である。
【図１６】第２図の接続装置を可撓管よりなる排水管に取り付けた状態を示す縦断面図である。
【符号の説明】
【００５９】
１  床面
１０，１１，１２，１３  排水管
２０，２０’，２０Ａ，２０Ａ’，８０，８０Ａ  アダプタ
３０  Ｏリング
４０，４０’，４０Ａ，４０Ａ’，９０，９０Ａ  排水ソケット
５０，５０Ａ  ジョイントパッキン
【図１】
2007162305.tif 000003
【図２】
2007162305.tif 000004
【図３】
2007162305.tif 000005
【図４】
2007162305.tif 000006
【図５】
2007162305.tif 000007
【図６】
2007162305.tif 000008
【図７】
2007162305.tif 000009
【図８】
2007162305.tif 000010
【図９】
2007162305.tif 000011
【図１０】
2007162305.tif 000012
【図１１】
2007162305.tif 000013
【図１２】
2007162305.tif 000014
【図１３】
2007162305.tif 000015
【図１４】
2007162305.tif 000016
【図１５】
2007162305.tif 000017
【図１６】
2007162305.tif 000018